(57)【要約】【課題】通常の電話回線を使用した電話通信とファクシミリ通信の機能は、そのままで、必要に応じてＩＰ電話にも対応可能な併用電話機を提供する。【解決手段】音声通信部（２１）と、ファクシミリ通信部と、アナログ入出力端子（９）と音声通信部（２１）との接続、アナログ入出力端子（９）とファクシミリ通信部（２３）との接続、又は、ＩＰ入出力端子（８）と音声通信部（２１）との接続、の何れかを選択的に切替可能な切替部（２５）と、により併用電話機（１）を構成する。１台の併用電話機により、通常の電話回線とＩＰ電話回線の両社に対応することができる。【選択図】      図２
2005039352.tif 000002
【特許請求の範囲】
【請求項１】
受話器を備える音声通信部と、
ファクシミリ通信部と、
アナログインターフェース公衆回線と接続可能なアナログ入出力端子と、
ＩＰ電話回線と直接的又は間接的に接続可能なＩＰ入出力端子と、
当該アナログ入出力端子と当該音声通信部との接続、当該アナログ入出力端子と当該ファクシミリ通信部との接続、又は、当該ＩＰ入出力端子と当該音声通信部との接続、の何れかを選択的に切替可能な切替部と、を備えている
ことを特徴とする併用電話機。
【請求項２】
前記切替部が、制御部により各々制御可能な第１スイッチと、第２スイッチと、第３スイッチと、を含み、
前記第１スイッチが、前記ＩＰ入出力端子と、前記音声通信部と、の間をオンオフ可能に構成してあり、
前記第２スイッチが、当該第１スイッチと当該音声通信部との間と、当該アナログ入出力端子と当該第３スイッチとの間と、の間をオンオフ可能に構成してあり、
当該第３スイッチが、当該第２スイッチと、前記ファクシミリ通信部と、の間をオンオフ可能に構成してある
ことを特徴とする請求項１記載の併用電話機。
【請求項３】
強制アナログスイッチを備え、
前記制御部が、当該強制アナログスイッチの操作に基づいて、前記第１スイッチ、前記第２スイッチ及び前記第３スイッチを適宜オン又はオフさせることにより、前記音声通信部と前記アナログ入出力端子とを強制的に接続するように構成してある
ことを特徴とする請求項１又は２記載の併用電話機。
【請求項４】
表示部を備え、
当該表示部が、前記制御部の指示に基づいて通信情報を表示可能に構成してある
ことを特徴とする請求項２又は３記載の併用電話機。
【請求項５】
アナログインターフェース公衆回線と接続可能なアナログ入出力端子と、
ＩＰ電話回線と直接的又は間接的に接続可能なＩＰ入出力端子と、
受話器を備える音声通信機を接続可能な音声接続端子と、
ファクシミリ通信機を接続可能なファクシミリ接続端子と、
当該アナログ入出力端子と当該音声通信機との接続、当該アナログ入出力端子と当該ファクシミリ通信機との接続、又は、当該ＩＰ入出力端子と当該音声通信機との接続、の何れかを選択的に切替可能な切替部と、を備えている
ことを特徴とするＩＰ電話切替機。
【請求項６】
アナログインターフェース公衆回線と接続可能なアナログ入出力端子と、
ＩＰ電話回線と直接的又は間接的に接続可能なＩＰ入出力端子と、
受話器を備える音声通信機を接続可能な音声接続端子と、
当該アナログ入出力端子と当該音声通信機との接続、又は、当該ＩＰ入出力端子と当該音声通信機との接続、を選択的に切替可能な切替部と、を備えていることを特徴とするＩＰ電話切替機。
【発明の詳細な説明】
【０００１】
【発明の属する技術分野】
この発明は、ファクシミリ機能と音声電話機能とを備えたファクシミリ併用電話機（以下、特に限定しない限り、「併用電話機」という）及びアナログインターフェース公衆回線とＩＰ電話回線とを切替使用可能とするためのＩＰ電話切替機に関するものである。
【０００２】
【従来の技術】
小規模事務所（ＳＯＨＯ）や一般家庭などには、併用電話機が便利である。併用電話機であれば、ファクシミリ通信と音声電話通信を１台の機器で行うことができるため、個別の専用通信機器を備えることにくらべて安価であり、また、同じく設置スペースも小さくてすむからである。使用感についても、個別の専用通信機器を備える場合と比べて、ほとんど遜色なく使用することができる。特に、併用電話機を用いて電話通信を行うときは、通常の電話専用機とまったく変わりない。着信音に応じて併用電話機の受話器をとれば、それだけで話ができるし、受話器をとってダイヤルすれば相手を呼び出すことができる。ファクシミリ送信についても、ファクシミリ専用機と比較して見劣りすることはない。ただ、ファクシミリ受信については、受信者である併用電話機の使用者は、着信音に応じて受話器をとったときに、ファクシミリ信号の再生音である「ピー音」を聞かされてファクシミリ着信を知り、ファクシミリ受信ボタンを操作することによりファクシミリを受信することになる。
【０００３】
他方、インターネットのブロードバンド回線が安価に提供されるようになってきたため、大企業だけでな小規模企業や一般家庭でも、それを導入する動きが活発になってきた。このブロードバンド回線は、従来の回線に比べて通信速度が大幅に改善されているため、インターネット電話（ＩＰ電話）として使用でき、また、これまでの有線電話にくらべて通信料金が安いことから、新しい通信回線として急速に普及しつつある。そのような新しい通信回線には、たとえば、光回線、ケーブルテレビ（ＣＡＴＶ）回線、ＡＤＳＬに代表されるｘＤＳＬが主として使用されている。
【０００４】
【発明が解決しようとする課題】
しかしながら、価格的には魅力なＩＰ電話ではあるが、次のような問題点がある。まず第１に、ＩＰ電話機同士をつなぐインターネットは、多数のルーターを介して接続されているため、各ルーターにおける僅かな時差が総和される結果、通常の電話回線に比べて通話遅延を生じる場合が多い点である。諸外国を相手に通話するときに、特にその差が著しい。第２に、インターネット回線は様々な環境の下で構築されているため、時として通話とぎれが生じやすいという点である。音声通信の場合における多少のとぎれは、人間の推知能力や、聞き取れなかった場合の聞き返しなどの助けにより克服することができるが、ファクシミリ通信の場合のとぎれは、そのまま通信エラーとなる。したがって、ＩＰ電話を、そのままファクシミリ通信に使用する者は少なく、ＩＰ電話を使用する者であってもファクシミリは通常の電話回線（アナログ回線）を使用している。したがって、ＩＰ電話を導入するにしても、既存の電話機又は併用電話機を完全に撤去することはできず、両者を共有する必要がある。
【０００５】
併用電話機とＩＰ電話機を共有するとした場合に、通信相手がファクシミリであれば通信とぎれのない前者を、通信相手がＩＰ電話機であれば料金が安価である後者を、共有者は、それぞれ選択して使用することになる。何れにしろ、併用電話機とＩＰ電話機を共有しなければならないとすることは、個別の専用通信機を購入する必要をなくすとともに、設置するためのスペースを小さくするという併用電話機の利点を損ねてしまう。さらに、既存の電話機をアナログインターフェース公衆回線とＩＰ電話回線との双方に使用したり、既存の電話機及びファクシミリを適宜両回線に使用したりできるできれば、既存設備を利用しながらＩＰ電話回線を利用することが可能になる。本発明が解決しようとする課題は、１台の併用電話機でありながら、通常の電話回線を使用した電話通信とファクシミリ通信の機能は、そのままで、必要に応じてＩＰ電話にも対応可能な併用電話機を提供することにある。また、他の課題は、既存のファクシミリがある場合にはそれをそのまま使用可能とするとともに、既存の電話機をＩＰ電話にも使用できるようにするＩＰ電話切替機を提供することにある。
【０００６】
【課題を解決するための手段】
上記課題を解決するために本発明は、次の構成を備えている。なお、何れかの請求項に係る発明を説明するに当たって行う用語の定義等は、その性質上可能な範囲において他の請求項に係る発明にも適用があるものとする。
【０００７】
（請求項１記載の発明の特徴）
請求項１記載の発明に係る併用電話機（以下、適宜「請求項１の併用電話機」という）は、受話器を備える音声通信部と、ファクシミリ通信部と、アナログインターフェース公衆回線と接続可能なアナログ入出力端子と、ＩＰ電話回線と直接的又は間接的に接続可能なＩＰ入出力端子と、当該アナログ入出力端子と当該音声通信部との接続、当該アナログ入出力端子と当該ファクシミリ通信部との接続、又は、当該ＩＰ入出力端子と当該音声通信部との接続、の何れかを選択的に切替可能な切替部と、を備えている。「アナログインターフェース公衆回線」とは、一般の電話サービスが行われているアナログ信号を用いた公衆回線のことをいい、具体的には、家庭用電話、携帯電話、ＰＨＳ電話等の回線のことをいう。「ＩＰ電話回線」とはＩＰ信号を用いた回線のことをいい、一般には、このＩＰ信号はＩＰ電話モデムやＩＰ電話アダプタなどの変換装置を介してアナログ信号に変換されて用いられる。このような変換装置を内蔵する併用電話機であれば、ＩＰ信号を、直接、ＩＰ入出力端子に入力することが可能であるが、それを内蔵しない併用電話機であれば、併用電話機の外部に設けた変換装置によりＩＰ信号をアナログ信号（アナログインターフェースのＩＰ信号）に変換してから、間接的にＩＰ入出力端子に入力する。
【０００８】
請求項１の併用電話機によれば、音声通信及びファクシミリ通信をアナログ通信により行うことができ、さらに、ＩＰ音声通信をも行うことができる。しかも、これらの通信を行うためには、１台の併用電話機で足りる。したがって、アナログ通信とＩＰ通信とのために、それぞれ個別の専用装置を備える必要がないので、費用の点及び設置スペース節約の点において有利である。アナログ通信とＩＰ通信の切替は、使用者の操作や事前の設定などに応じて切替部が行う。
【０００９】
（請求項２記載の発明の特徴）
請求項２記載の発明に係る併用電話機（以下、適宜「請求項２の併用電話機」という）は、請求項１の併用電話機であって、前記切替部が、制御部により各々制御可能な第１スイッチと、第２スイッチと、第３スイッチと、を含み、前記第１スイッチが、前記ＩＰ入出力端子と、前記音声通信部と、の間をオンオフ可能に構成してあり、前記第２スイッチが、当該第１スイッチと当該音声通信部との間と、当該アナログ入出力端子と当該第３スイッチとの間と、の間をオンオフ可能に構成してあり、当該第３スイッチが、当該第２スイッチと、前記ファクシミリ通信部と、の間をオンオフ可能に構成してある。「第１」「第２」及び「第３」は、識別を容易にするという便宜のためだけに付したものであって、何れかのスイッチを特定する趣旨ではない。したがって、たとえば、第１スイッチと第３スイッチとを入れ替えたとしても、発明の構成に影響を及ぼさない。
【００１０】
請求項２記載の発明に係る併用電話機（以下、適宜「請求項２の併用電話機」という）は、請求項１の併用電話機の作用効果に加え、アナログ通信とＩＰ通信との切替が、具体的には、第１スイッチ、第２スイッチ及び第３スイッチの各オンオフの組み合わせにより行われる。これらのスイッチの制御は、使用者の操作や事前の設定などに応じて制御部が行う。
【００１１】
（請求項３記載の発明の特徴）
請求項３記載の発明に係る併用電話機（以下、適宜「請求項３の併用電話機」という）は、請求項１又は２記載の併用電話機であって、強制アナログスイッチを備え、前記制御部が、当該強制アナログスイッチの操作に基づいて、前記第１スイッチ、前記第２スイッチ及び前記第３スイッチを適宜オン又はオフさせることにより、前記音声通信部と前記アナログ入出力端子とを強制的に接続するように構成してある。「適宜オン又はオフ」とは、初期設定状態に応じてオン又はオフさせるという意味である。
【００１２】
請求項３の併用電話機によれば、請求項１又は２の併用電話機の作用効果に加え、初期設定状態の如何にかかわらず、強制的にアナログ電話通信を行うことができる。アナログ通信しかできない相手と通話するときや、その他何らかの理由によりアナログ通信したいときなどに、便利である。
【００１３】
（請求項４記載の発明の特徴）
請求項４記載の発明に係る併用電話機（以下、適宜「請求項４の併用電話機」という）は、請求項２又は３の併用電話機であって、表示部を備え、当該表示部が、前記制御部の指示に基づいて通信情報を表示可能に構成してある。「通信情報」とは、たとえば、ＩＰ電話で通話中に他の通話がアナログ入出力端子を介して着信したことや、ファクシミリ通信を行っている最中にＩＰ電話がＩＰ入出力端子を介して着信したことなどを使用者が知ると便利な情報のことをいう。
【００１４】
請求項４の併用電話機によれば、請求項２又は３の併用電話機の作用効果に加え、表示部が各種の通信情報を表示することにより、使用者の便宜を図ることができる。通信情報を得た使用者は、それに応じて、たとえば、通話中に着信した他の着信に対して、後ほど電話をかけることができるし、ＩＰ電話で通信中にファクシミリ着信を知り、所定操作によりファクシミリ受信を行うことができる。このように通信情報を表示することは、使用者にとってたいへん便利なことである。
【００１５】
（請求項５記載の発明の特徴）
請求項５記載の発明に係るＩＰ電話切替機（以下、適宜「請求項５の切替機」という）は、アナログインターフェース公衆回線と接続可能なアナログ入出力端子と、ＩＰ電話回線と直接的又は間接的に接続可能なＩＰ入出力端子と、受話器を備える音声通信機を接続可能な音声接続端子と、ファクシミリ通信機を接続可能なファクシミリ接続端子と、当該アナログ入出力端子と当該音声通信機との接続、当該アナログ入出力端子と当該ファクシミリ通信機との接続、又は、当該ＩＰ入出力端子と当該音声通信機との接続、の何れかを選択的に切替可能な切替部と、を備えている。
【００１６】
請求項５の切替機によれば、既存の音声通信機（電話機）を音声接続端子に、また、既存のファクシミリ通信機あるのであればそれをファクシミリ接続端子にそれぞれ接続することにより、音声通信機よるアナログ通信又はＩＰ音声通信を、及び、ファクシミリ通信機によるアナログ通信を行うことができる。アナログ通信とＩＰ通信の切替は、使用者の操作や事前設定などに応じて切替機が行う。
【００１７】
（請求項６記載の発明の特徴）
請求項６記載の発明に係るＩＰ電話切替機（以下、適宜「請求項６の切替機」という）は、アナログインターフェース公衆回線と接続可能なアナログ入出力端子と、ＩＰ電話回線と直接的又は間接的に接続可能なＩＰ入出力端子と、受話器を備える音声通信機を接続可能な音声接続端子と、当該アナログ入出力端子と当該音声通信機との接続、又は、当該ＩＰ入出力端子と当該音声通信機との接続、を選択的に切替可能な切替部と、を備えている。
【００１８】
請求項６の切替機によれば、既存の音声通信機（電話機）を音声接続端子に接続することにより、音声通信機よるアナログ通信又はＩＰ音声通信をを行うことができる。アナログ通信とＩＰ通信の切替は、使用者の操作や事前設定などに応じて切替機が行う。
【００１９】
【発明の実施の形態】
各図を参照しながら、本発明の実施の形態について説明する。図１は、併用電話機の正面からみた斜視図である。図２は、図１に示す併用電話機の背面からみた斜視図である。図３は、図１に示す併用電話機の構造を示すブロック図である。図４は、ＣＰＵの拡大図である。図５は、ＩＰ電話切替機の斜視図である。図６は、ＩＰ電話切替機の第１構造を示すブロック図である。図７は、ＩＰ電話切替機の第２構造を示すブロック図である。
【００２０】
（併用電話機の外観構造）
図１及び２に基づいて説明する。併用電話機１は、電話機本体３と、電話機本体３に載置可能な受話器５と、電話機本体３背面に設けた給紙を行うための給紙部７と、から概ね構成してある。電話機本体３は、その正面には操作パネル１１を備え、その背面にはＩＰ入出力端子８及びアナログ入出力端子９を備えている。アナログ入出力端子９は、通常の電話回線に接続してアナログ公衆回線信号を送受信するための端子である。アナログ公衆回線信号を送受信するためのアナログ公衆回線は、一般的には、２線式アナログ回線のことをいい、この２線式アナログ回線は２本の銅線（導線）で接続されており、この２本の銅線の上に直流信号と交流信号の組み合わせたものを流し、その組み合わせにより様々な電話サービスを行う回線のことをいう。この２本の銅線の間には、通常、−４８ボルトの直流電圧が印加されている。ＩＰ入出力端子８は、インターネット回線に接続してＩＰ信号を直接又は間接に送受信するための端子である。本実施形態の併用電話機１には、ＩＰ信号をアナログ信号に変換するための変換装置を内蔵させていないので、併用電話機１の外部に設けたＩＰ電話モデム１０１を介してＩＰ信号から変換したアナログ信号をＩＰ入出力端子８に入力するように構成してある。
【００２１】
操作パネル１１には、電話番号等を入力するための入力ボタン群１３、ファクシミリ機能をスタートさせるためのＦＡＸスタートボタン１５、操作したときに通信回線を強制的にアナログ回線に接続させるための強制アナログスイッチ１７及び各種の情報を表示するための液晶表示部１９と、を設けてある。電話機本体３内部には、受話器５を用いた音声通信を行うための音声通信部２１と、ファクシミリ通信を行うためのファクシミリ通信部２３と、通信回線の切替を行うための切替部２５と、を設けてある（図３参照）。ファクシミリ通信部２３への印字用用紙や送信用用紙の給紙は、給紙部７が行うようになっている。
【００２２】
（切替部の構造）
図３及び４に基づいて説明する。切替部２５は、図３の破線で囲んだ部分（ＣＰＵ３５の詳細については図４参照）のことをいう。ＩＰ入出力端子８には、ＩＰ回線に接続されるラインＬ１８及びラインＬ２８が接続してあり、ラインＬ１８はスイッチＳ１を介して、ラインＬ２８はスイッチＳ１と連動するスイッチＳ１´を介して、それぞれ音声通信部２１に接続してある。ＩＰ入出力端子８とスイッチＳ１及びスイッチＳ１´との間のラインＬ１８とラインＬ２８には、フォトセンサＩＮ１を並列に接続してある。同様に、ラインＬ２８にはフォトセンサＩＮ２を直列に挿入してある。スイッチＳ１及びスイッチＳ１´と音声通信部２１との間のラインＬ１８とラインＬ２８には、スイッチＳ２とスイッチＳ２と連動するスイッチＳ２´の一端側を接続してある。
【００２３】
アナログ入出力端子９には、アナログ回線に接続されるラインＬ１９及びラインＬ２９が接続してあり、ラインＬ１９はスイッチＳ３を介して、ラインＬ２９はスイッチＳ３と連動するスイッチＳ３´を介して、それぞれファクシミリ通信部２３に接続してある。アナログ入出力端子９とスイッチＳ３及びスイッチＳ３´との間のラインＬ１９とラインＬ２９には、フォトセンサＩＮ３を並列に接続してある。同様に、ラインＬ２９にはフォトセンサＩＮ４を直列に挿入してある。アナログ入出力端子９とスイッチＳ３及びスイッチＳ３´との間のラインＬ１９とラインＬ２９には、上述したスイッチＳ２とスイッチＳ２と連動するスイッチＳ２´の他端側を接続してある。本実施形態における初期状態は、スイッチＳ１及びスイッチＳ１´のみオン状態に、スイッチＳ２、スイッチＳ２´、スイッチＳ３及びスイッチＳ３´はオフ状態に、それぞれ設定してある。
【００２４】
切替部２５は、制御部を司るＣＰＵ３５を含み、ＣＰＵ３５が切替部２５全体を制御する。図４に示すように、ＣＰＵ３５の入力側には、フォトセンサＩＮ１〜ＩＮ４の検知信号を受信するための入力端子ｉｎ１〜ｉｎ４と、ＦＡＸスタートボタン１５の操作信号を受信するための入力端子ｉｎ５と、強制アナログスイッチ１７の操作信号を受信するための入力端子ｉｎ６と、をそれぞれ設けてある。他方、ＣＰＵ３５の出力側には、スイッチＳ１及びスイッチＳ１´のオンオフ信号を送信するための出力端子ＯＵＴ１と、スイッチＳ２及びスイッチＳ２´のオンオフ信号を送信するための出力端子ＯＵＴ２と、スイッチＳ３及びスイッチＳ３´のオンオフ信号を送信するための出力端子ＯＵＴ３と、液晶表示部１９を制御するための出力端子ＯＵＴ４と、をそれぞれ設けてある。
【００２５】
（本実施形態の作用）
図３及び４に基づいて説明する。上述したように、本実施形態における初期状態は、スイッチＳ１及びスイッチＳ１´のみオン状態に、スイッチＳ２、スイッチＳ２´、スイッチ３及びスイッチ３´はオフ状態に、それぞれ設定してあるため、音声通信部２１のみがＩＰ回線に接続されている状態にある。これは、ＩＰ回線を用いた安価な音声通信を再優先するためであるが、併用電話機１の使用者が、自己の好みや用途等に合わせて、この初期状態を適宜変更できることはいうまでもない。
【００２６】
（ＩＰ音声着信）
図３に示す初期状態において、ＩＰ通信における着信（ＩＰ音声着信）があった場合、すなわち、ＩＰ着信信号を受けた場合は、そのＩＰ着信信号が音声通信部２１に入力され、音声通信部２１が備える着信音発生装置２２を作動させる。着信音発生装置２２の作動により発生した着信音が、着信があったことを使用者（通話者）に知らせる。これと同時に着信があったことをフォトセンサＩＮ１が検知し、フォトセンサＩＮ１は着信信号をＣＰＵ３５に送信する。着信信号を受けたＣＰＵ３５は、液晶表示部１９に信号を送り、着信があった旨を、さらに必要に応じて発呼者の電話番号やＩＰ回線を通じた着信である等の旨を、表示させる。着信後に使用者が受話器５を取ると、これに伴い変化するラインＬ２８を流れる電流をフォトセンサＩＮ２が検知して検知信号をＣＰＵ３５に送信する。音声通信部２１は、今、通話状態にある。通話を終わった使用者が受話器５を置くと、同じくラインＬ２８の電流変化を検知したフォトセンサＩＮ２の検知信号によりＣＰＵ３５が通話の終了を知る。通話が終了したところでＣＰＵ３５は、液晶表示部１９に指示して着信表示等を終了させる。
【００２７】
（ＩＰ音声発呼）
初期状態における音声通信部２１は、ＩＰ入出力端子９に接続されているので、そのまま受話器５を取り操作パネル１１上の入力ボタン群１３を用いてダイヤルすれば、相手を呼び出すことができる。受話器５の取り上げと受話器５の据え置きは、それぞれフォトセンサＩＮ２が検知してＣＰＵ３５に知らせる。使用者の便宜のために、受話器５が取り上げられている間、液晶表示部１９に通話中である旨を表示させるようにＣＰＵ３５を構成することもできる。
【００２８】
（アナログ着信）
図３に示す初期状態において、アナログ通信における着信（アナログ音声着信又はアナログファクシミリ着信）があった場合、すなわち、アナログ着信信号を受けた場合は、フォトセンサＩＮ３がそのアナログ公衆回線信号を検知して、その旨をＣＰＵ３５に通知する。通知を受けたＣＰＵ３５は、ＩＰ回線を切り離すためにスイッチＳ１及びスイッチＳ１´をオフするとともに、スイッチＳ２及びスイッチＳ２´をオンしてアナログ回線と音声通信部２１とを接続する。このとき、スイッチＳ３及びスイッチＳ３´は、初期設定のまま、すなわち、オフ状態である。スイッチＳ２及びスイッチＳ２´のオンによりアナログ着信信号を受けた音声通信部２１は、着信音発生装置２２を作動させる。着信音発生装置２２が発生する着信音に気づいた使用者が、受話器５を取り上げることにより、アナログ着信信号が音声によるものであれば音声通話可能な状態になる。ここで、アナログ着信信号がファクシミリ信号であった場合に、受話器５を通して「ピー音」を聞かされてファクシミリ信号であることを知った使用者がＦＡＸスタートボタン１５を操作すると、その操作信号がＣＰＵ３５の入力端子ｉｎ５に入力され、操作信号を受けたＣＰＵ３５がスイッチＳ２及びスイッチＳ２´をオフさせるとともに、スイッチＳ３及びスイッチＳ３´をオンさせてアナログ回線をファクシミリ通信部２３に接続する。これにより、ファクシミリ受信が行われる。他方、着信音発生装置２２が予め設定した回数（たとえば、５回）の着信音発生の間に使用者が受話器５を取り上げない場合、すなわち、フォトセンサＩＮ３からは信号を受けたがフォトセンサＩＮ４からは信号を受けない場合のＣＰＵ３５は、スイッチＳ２及びスイッチＳ２´をオフさせるともに、スイッチＳ３及びスイッチＳ３´をオンさせてアナログ回線とファクシミリ通信部２３とを接続するように設定してもよい。この場合、相手方のアナログ公衆回線信号が音声通話信号であればファクシミリ通信部２３とつながったところで相手方は「ピー音」を聞かされるので通信を遮断するであろうし、ファクシミリ信号であればファクシミリ通信を行うことになる。なお、受話器５の取り上げと受話器５の据え置きは、フォトセンサＩＮ４がこれらを検知する。フォトセンサＩＮ４が受話器の据え置きを検知すると、その通知を受けたＣＰＵ３５は、各スイッチを初期状態に戻すとともに、液晶表示部１９の表示を停止させる。
【００２９】
（アナログ発呼）
たとえば、アナログ通信しかできない相手と音声通話しようとするときなど必要があるときは、受話器５を取り上げてから強制アナログスイッチ１７を操作する。受話器５を取り上げたときは初期設定状態であるから、音声通信部２１はオンしたスイッチＳ１及びＳ１´を介してＩＰ回線に接続されている。ここで、強制アナログスイッチ１７を操作すると、その操作信号が入力端子ｉｎ６を介してＣＰＵ３５に入力される。操作信号を受けたＣＰＵ３５は、スイッチＳ１及びスイッチＳ１´をオフさせるとともに、スイッチＳ２及びスイッチＳ２´をオンさせる。これにより、音声通信部２１がアナログ入出力端子９と接続され、受話器５の取り上げと据え置きはフォトセンサＩＮ４により検知される。ここで、入力ボタン群１３を操作して相手番号をダイヤルすれば通信相手を呼び出すことができる。フォトセンサＩＮ４が受話器５の据え置きを検知すると、その通知を受けたＣＰＵ３５は、各スイッチを初期状態に戻すとともに、液晶表示部１９の表示を停止させる。
【００３０】
他方、ファックス送信を行う場合は、給紙部７に送信用紙をセットしてから入力ボタン群１３を操作して相手番号をダイヤルした後に、ＦＡＸスタートボタン１５を操作すればファクシミリ通信を開始する。すなわち、ＦＡＸスタートボタン１５の操作信号が入力端子ｉｎ５を介してＣＰＵ３５に入力され、これを受けたＣＰＵ３５がスイッチＳ２及びスイッチＳ２´をオフさせるとともに、スイッチＳ３及びスイッチＳ３´をオンさせてファクシミリ通信部２３とアナログ入出力端子９を接続する。これにより、ファクシミリ通信が可能となり、相手の応答を待ってファクシミリ通信が開始される。フォトセンサＩＮ４がファクシミリ通信の終了を検知すると、その通知を受けたＣＰＵ３５は、各スイッチを初期状態に戻すとともに、液晶表示部１９の表示を停止させる。
【００３１】
ここで、着信中又は発呼中に、他の着信があった場合の動作について説明する。併用電話機１によれば、従来のアナログ音声通信及びアナログファクシミリ通信の機能に加え、ＩＰ回線を用いたＩＰ音声通信が可能である。このため、それらの組み合わせ次第では、次に述べる重複通信が可能になる。まず、ＩＰ音声通信の最中にアナログ音声着信があった場合を想定する。ＩＰ音声通信の最中であるから、スイッチＳ１及びスイッチＳ１´のみがオン状態で、他のスイッチはオフ状態になっている。ここで、アナログ着信があると、その旨はフォトセンサＩＮ３により検知されるが、このフォトセンサＩＮ３の検知信号をＣＰＵ３５に送ると、これを受けたＣＰＵ３５は液晶表示部１９に指示してアナログ着信があった旨を表示させる。これにより、使用者は、ＩＰ音声通信を行いながら、アナログ音声着信があったことを知ることができる。これと同様に、アナログ音声通話中にＩＰ音声着信があった場合や、ファクシミリ通信を行っている最中にアナログ音声着信があった場合などに、そのような着信があった旨を液晶表示部１９に表示させるように構成すれば、使用者の便宜を図ることができる。
【００３２】
ここで、ＩＰ音声通信を行っているときに着信を知った使用者にファクシミリ受信の機会を与えることもできる。すなわち、着信を知った使用者に、ＦＡＸスタートボタン１５を操作させ、その操作信号を入力端子ｉｎ５を介してＣＰＵ３５に入力させる。これを受けたＣＰＵ３５にスイッチＳ３及びスイッチＳ３´をオンさせてアナログ着信をファクシミリ通信部２３に送るように構成すれば、使用者にＩＰ音声通信を行いながらファクシミリ着信を受けさせることができる。上記アナログ着信がファクシミリ着信ではなくアナログ着信である場合も考えられるが、そのときは相手方が「ピー音」を聞き通信を遮断することになろう。本機能が生かされるのは、たとえば、ＩＰ音声通信の中でファックス送信を行う旨の合意をしたときである。たとえば、ＩＰ音声通信により技術的な打ち合わせを行っている最中に、関連図面を送信してもらう必要が生じたと仮定すると、相手方がファクシミリで送る旨を述べ使用者がそれを承諾したときに上記操作を行えば通話とファクシミリ受信の双方を同時に行うことができて、きわめて便利である。
【００３３】
（ＩＰ電話切替機の第１構造）
図５及び６に基づいて説明する。ＩＰ電話切替機５１は、ケース５３を備えている。ケース５３のフロントパネルには、ＩＰ入出力端子５４、アナログ入出力端子５５、音声電話機接続端子５６、ＩＰ通信ランプ５７、アナログ通信ランプ５８及び強制アナログスイッチ５９を設けてある。図６から理解されるように、ＩＰ電話切替機５１は、ケース５３内に切替部６１を備え、この切替部６１は基本的に前述した併用電話機１の切替部２５と同じ構造を備えている。このため、図６には、切替部２５との共通部材については、切替部２５で使用した番号と同じ番号を付してある。ＩＰ入出力端子５４には直接的又は間接的にＩＰ回線を、アナログ入出力端子５５にはアナログ回線を、音声電話機接続端子５６には音声電話通信機６３を、それぞれ接続する。ＣＰＵ３５は、スイッチＳ１，Ｓ１´とスイッチＳ２，Ｓ２´とを適宜切り換えて音声電話通信機６３をＩＰ回線又はアナログ回線に選択的に接続するようになっている。ＩＰ通信ランプ５７及びアナログ通信ランプ５８の制御はＣＰＵ３５が行うようになっており、たとえば、回線を使用していないときに両者消灯、着信があったときに着信があった回線に対応するランプが点滅、回線を使用しているときは使用している回線に対応するランプが点灯するようになっている。回線使用状況を使用者に知らせて使用者の便宜を図ることが目的である。強制アナログスイッチ５９は、通常は「ＡＵＴＯ」側にセットしておき、必要に応じて「ＡＮＡＬＯＧ」側にセットする。前者の場合は、着信があった何れかの回線が自動的に音声電話通信機６３に接続され、発呼のときはＩＰ回線に優先接続される。他方、後者の場合は、強制的にアナログ回線で発呼できるように接続される。ＩＰ電話切替機５１によれば、既存の音声電話通信機を、従来のアナログ回線と、ＩＰ回線の両者に使用することができる。
【００３４】
（ＩＰ電話切替機の第２構造）
図７に基づいて説明する。ＩＰ電話切替機７１は、上記のＩＰ電話切替機５１と同様にケース（図示を省略）を有しており、音声電話通信機７７に加え、ファクシミリ通信機７９をも接続可能に構成してある。以下、ＩＰ電話切替機５１と異なる部分についてだけ説明する。ＩＰ電話切替機７１は切替部７２を有しており、切替部７２には、音声電話機接続端子７３及びファクシミリ接続端子７５を設けてあり、前者を介して音声電話通信機７７を、後者を介してファクシミリ通信機７９を、それぞれ接続可能に構成してある。ＣＰＵ３５は、スイッチＳ１，Ｓ１´、スイッチＳ２，Ｓ２´及びスイッチＳ３，Ｓ３´を適宜切り換えることにより、音声電話通信機７７とファクシミリ通信機７９を適応する回線と接続するように構成してある。ＩＰ電話切替機７１によれば、既存の音声電話通信機と、必要に応じてファクシミリ通信機とを、従来のアナログ回線と、ＩＰ回線の両者に使用することができる。
【００３５】
【発明の効果】
１台の通信機でありながら、通常の電話回線を使用した電話通信とファクシミリ通信の機能は、そのままで、必要に応じてＩＰ電話にも対応可能な併用電話機を提供する。また、ＩＰ電話切替機によれば、既存の音声電話通信機を、従来のアナログ回線と、ＩＰ回線の両者に使用することができる。
【図面の簡単な説明】
【図１】併用電話機の正面からみた斜視図である。
【図２】図１に示す併用電話機の背面からみた斜視図である。
【図３】図１に示す併用電話機の構造を示すブロック図である。
【図４】ＣＰＵの拡大図である。
【図５】ＩＰ電話切替機の斜視図である。
【図６】ＩＰ電話切替機の第１構造を示すブロック図である。
【図７】ＩＰ電話切替機の第２構造を示すブロック図である。
【符号の説明】
１              併用電話機
３              電話機本体
５              受話器
７              給紙部
８              ＩＰ入出力端子
９              アナログ入出力端子
１１              操作パネル
１３              入力ボタン群
１５              ＦＡＸスタートボタン
１７              強制アナログスイッチ
１９              液晶表示部
２１              音声通信部
２３              ファクシミリ通信部
２５              切替部
３５              ＣＰＵ
５１，７１        ＩＰ電話切替機
５３              ケース
５４              ＩＰ入出力端子
５５              アナログ入出力端子
５６，７３        音声電話機接続端子
５７              ＩＰ通信ランプ
５８              アナログ通信ランプ
５９              強制アナログスイッチ
６１，７２        切替部
６３，７７        音声電話通信機
７５              ファクシミリ接続端子
７９              ファクシミリ通信機
Ｓ１，Ｓ１´      スイッチ（第１スイッチ）
Ｓ２，Ｓ２´      スイッチ（第２スイッチ）
Ｓ３，Ｓ３´      スイッチ（第３スイッチ）
ＩＮ１〜４        フォトセンサ
ｉｎ１〜６        入力端子
ＯＵＴ１〜４      出力端子
１０１            ＩＰ電話モデム
【図１】
2005039352.tif 000003
【図２】
2005039352.tif 000004
【図３】
2005039352.tif 000005
【図４】
2005039352.tif 000006
【図５】
2005039352.tif 000007
【図６】
2005039352.tif 000008
【図７】
2005039352.tif 000009